(57)【要約】  アンダーカウンター泡ディスペンサーシステム及びアンダーカウンター据付泡ディスペンサーシステム用の再充てんユニットがここに開示される。実施例の再充てんユニットは、液体を保持する容器と、少なくとも液体ポンプ部と、圧縮空気源に取り外し可能に接続するためのクイック接続マニホールドと、ミキシングチャンバーへの空気流路及びミキシングチャンバーへの液体流路を含む。再充てんユニットがディスペンサーシステムにマウントされるとき空気入口は圧縮空気源と流体連通し、再充てんユニットがアンダーカウンター据付泡ディスペンサーシステムから取り外されると圧縮空気源から係合が解かれる。
2015535194.tif 000002
【特許請求の範囲】
【請求項１】
アンダーカウンター据付泡ディスペンサーシステムに用いる再充てんユニットであって：
液体を保持する容器（１４２）、カウンタートップ下方に据付け付合される前記容器（１４２）と；
前記容器（１４２）の底に伸びる浸漬チューブ（１４６）と；
少なくとも浸漬チューブ（１４６）と流体連通する液体ポンプの部分と；
近接端及び遠方端を有する第一のチューブ（１４２）と；
空気及び液体を受入れるミキシングチャンバー（１５２）と；を含み、
前記第一のチューブ（１４６）の前記近接端は前記液体ポンプの前記部分と流体連通し、かつ、泡ディスペンサーシステムが据付されるときにカウンタートップ下に構成されて前記遠方端が前記ミキシングチャンバーと流体連通するものであり；
前記ミキシングチャンバー（１５２）は泡ディスペンサーシステムが据付されるときに前記カウンター上方に配置構成され；
前記容器（１４２）に固定されるマニホールド（１２６）と；
前記マニホールド（１２６）は空気入口（３２５）及び空気出口を備え；
前記空気出口からミキシングチャンバー（１５２）へ伸びて空気を前記マニホールド（１２６）から前記ミキシングチャンバー（１５２）へ連通する第二のチューブ（１５０）と；を含み、
前記空気入口（３２５）は、再充てんユニットが前記ディスペンサーシステムに導入されるときには圧縮空気源と流体連通されて、前記再充てんユニットが前記アンダーカウンター据付泡ディスペンサーシステムから取り外されるときには前記圧縮空気源から係合を解かれる、再充てんユニット。
【請求項２】
前記空気入口（３２５）は前記マニホールド（１２６）のトップ部分に配置される請求項１に記載の再充てんユニット。
【請求項３】
前記再充てんユニット（１４２）が前記泡ディスペンサーシステムに導入されると前記空気入口（５２５）（６２５）（７２５）（８２５）（９２５）（１００３）のまわりにシール部材（５１０）（６１０）（７１０）（８１０）（９１０）（１１０４）をさらに含み前記空気入口（５２５）（６２５）（７２５）（８２５）（９２５）（１００３）と前記圧縮空気源の間にシールを生成する請求項１に記載の再充てんユニット。
【請求項４】
アライメント部材（１３７）をさらに含み前記再充てんユニット（１４２）が前記泡ディスペンサーシステム（１００）に導入されると前記マニホールド（１２６）上の前記空気入口（３２５）が前記圧縮空気源に並ぶ構成とする請求項１に記載の再充てんユニット。
【請求項５】
前記少なくとも部分の前記液体ポンプは折り畳み可能な前記チューブ（１４２）の部分を含む請求項１に記載の再充てんユニット。
【請求項６】
前記少なくとも部分の前記液体ポンプはドームポンプを含む請求項１に記載の再充てんユニット。
【請求項７】
前記空気入口（３２５）上に前記空気入口上前記マニホールド（１２６）まで覆う位置に配置される膜であって、前記膜は前記泡ディスペンサーシステム（１００）を導入する前に取り除き可能であり、又は、圧縮空気源によって穴あけ可能である請求項１に記載の再充てんユニット。
【請求項８】
アンダーカウンター据付泡ディスペンサーシステムに用いる再充てんユニットであって：
液体を保持する容器（１４２）、カウンタートップ下方に据付け付合される前記容器（１４２）と；
前記容器（１４２）の底に伸びる浸漬チューブ（１４６）と；
少なくとも浸漬チューブ（１４６）と流体連通する液体ポンプの部分と；
前記容器（１４２）からミキシングチャンバー（１５２）へ液体連通する第一のチューブ（１４６）と；
前記容器（１４２）に固定されるマニホールド（１２６）と；
空気入口（３２５）と空気出口を備える前記マニホールド（１２６）と；
前記マニホールド（１２６）の前記空気出口から前記ミキシングチャンバー（１５２）へ伸びる第二のチューブ（１５０）と；
前記泡ディスペンサーシステムにマウントされると圧縮空気源に係合し前記再充てんユニット（１４２）が前記ディスペンサーシステムにマウントされないときには前記圧縮空気源との係合が解かれる前記空気入口（３２５）を含む再充てんユニット。
【請求項９】
前記ミキシングチャンバー（１５２）から出口までのチューブをさらに含む請求項８に記載の再充てんユニット。
【請求項１０】
前記空気入口（３２５）は前記マニホールド（１２６）のトップ部に配置される請求項８に記載の再充てんユニット。
【請求項１１】
前記空気入口（１４２）のまわりに配置されて前記再充てんユニット（１４２）が前記泡ディスペンサーシステム（１４２）に導入されると前記空気入口（１４２）と前記圧縮空気源の間にシールを生成するシール部材（５１０）（６１０）（８１０）（９１０）（１１０４）をさらに含む請求項８に記載の再充てんユニット。
【請求項１２】
アライメント部材（１４２）をさらに含み前記再充てんユニット（１４２）が前記泡ディスペンサーシステム（１００）に導入されると前記マニホールド（１２６）上の前記空気入口（５２５）（６２５）（７２５）（８２５）（９２５）（１００３）が前記圧縮空気源に並ぶ構成とする請求項８に記載の再充てんユニット。
【請求項１３】
前記少なくとも部分の前記液体ポンプは折り畳み可能な前記チューブ（１４６）を含む請求項８に記載の再充てんユニット。
【請求項１４】
前記少なくとも部分の前記液体ポンプはピストンポンプを含む請求項８に記載の再充てんユニット。
【請求項１５】
前記少なくとも部分の前記液体ポンプはドームポンプを含む請求項８に記載の再充てんユニット。
【請求項１６】
前記空気入口（３２５）上を前記マニホールド（１２６）まで出荷のために覆う膜をさらに含む請求項８に記載の再充てんユニット。
【請求項１７】
泡ディスペンサーシステムであって；
カウンタートップ上方に配置されるスパウト（Ｓｐｏｕｔ）（１０６）と；
空気出口（１２４）を有する空気コンプレッサー（１２０）と；
泡生成可能な液体を保持するための容器（１４２）を有する再充てんユニット（１４０）；液体出口チューブ（１４６）及び前記空気出口を分離可能に係合する前記カウンター下方に配置されるマニホールド（１２６）；
液体を前記容器から前記液体出口チューブ（１４６）を通るまでポンプする液体ポンプ（１２８）；及び
前記カウンタートップ下方に配置される前記液体ポンプ（１３２）を含む泡ディスペンサーシステム。
【請求項１８】
前記空気コンプレッサー（１２０）は前記カウンター下方に配置される請求項１７に記載の泡ディスペンサーシステム
【請求項１９】
前記空気コンプレッサー（１２０）は前記カウンター上方かつ前記スパウト（Ｓｐｏｕｔ）（１０６）内に配置される請求項１７に記載の泡ディスペンサーシステム
【発明の詳細な説明】
【関連出願】
【０００１】
本出願は２０１３年３月９日に出願された米国特許出願第１３７９２０２４号「常設空気コンプレッサー及び再充てんユニットを備えるアンダーカウンター据付泡ディスペンサーシステム」の優先権とその利益を主張するが当該出願は、２０１２年１１月７日に出願された米国特許仮出願第６１/７２３４６８号「常設空気コンプレッサー及び再充てんユニットを備えるアンダーカウンター据付泡ディスペンサーシステム」の優先権とその利益を主張する。これらの出願の全体は本出願に組み込まれたものとする。
【技術分野】
【０００２】
本発明は、概して、アンダーカウンター据付泡ディスペンサーシステム（ｄｉｓｐｅｎｓｉｎｇ  ｓｙｓｔｅｍｓ、以下同じ）に関し、特に常設付合される空気コンプレッサー、及び再充てんユニットを前記空気コンプレッサーと流体連通する配置の空気接続マニホールドを有するディスペンサーシステムのための再充てんユニットを備えるアンダーカウンター据付泡ディスペンサーシステムに関する。
【背景技術】
【０００３】
液体ディスペンサーシステム、液体石鹸及び衛生ディスペンサー等は、ディスペンサーの作動と同時に所定の量の液体をユーザーに供給する。加えて、時として液体を泡の形態でディスペンスすること（ｔｏ  ｄｉｓｐｅｎｓｅ、ｄｉｓｐｅｎｓｅｒに1回の吐出量を動作させること、以下同じ）が望まれ、例えば、液体に空気を射出し液体と空気をミックスした泡状の液体と空気のバブルを空気ポンプ又は空気コンプレッサーを用いることによって生成する。いくつかの泡ディスペンサーシステムではカウンタートップにマウントされスパウト（Ｓｐｏｕｔ、以下同じ）をカウンタートップ上に有し、液体ポンプ、空気ポンプ及び容器をアンダーカウンターに配置する。これらのタイプのシステムはアンダーカウンター据付泡ディスペンサーシステムと一般に呼ばれている。これらアンダーカウンター据付システムには二つのベーシックタイプがある。第一には、ユーザーが取り外す再充てん可能な容器を備え、泡生成可能な液体を補充し再導入するものである。これらのタイプのディスペンサーは好ましくない。なぜなら、バクテリアが容器の中で成長可能で液体が汚染されるからである。第二のタイプは、空気コンプレッサー、液体ポンプ及び容器を含む再充てんユニットを備えるものである。容器が空になったら、前記空気コンプレッサー、液体ポンプ及び容器（泡生成可能な液体で満たされた）が再導入される。これらのタイプのリフィル（refill）は容器に再充てんするものよりもより衛生的であるが、これらのタイプの再充てんユニットは空気ポンプ及び液体ポンプを含むため高額である。
【発明の概要】
【発明が解決しようとする課題】
【０００４】
アンダーカウンター泡ディスペンサーシステム及びアンダーカウンター据付泡ディスペンサーシステム用の再充てんユニットがここに開示される。実施例の再充てんユニットは、液体を保持する容器と、少なくとも液体ポンプ部と、圧縮空気源に取り外し可能に接続するためのクイック接続マニホールドと、ミキシングチャンバーへの空気流路及びミキシングチャンバーへの液体流路を含む。再充てんユニットがディスペンサーシステムにマウントされるとき空気入口は圧縮空気源と流体連通し、再充てんユニットがアンダーカウンター据付泡ディスペンサーシステムから取り外されるとき圧縮空気源から係合が解かれる。
【０００５】
アンダーカウンター据付泡ディスペンサーシステム用の再充てんユニットがここに開示される。実施例の再充てんユニットは、液体を保持する容器、カウンタートップ下方にマウント対応の容器及び容器の底に伸びる浸漬チューブを含む。再充てんユニットは、少なくとも浸漬チューブと流体連通する液体ポンプの部分を含む。第一のチューブは容器からミキシングチャンバーへ液体連通するための液体ポンプの部分と流体連通している。マニホールドは容器に固定されている、マニホールドは空気入口と空気出口を含む。第二のチューブはマニホールドの空気出口からミキシングチャンバーへ伸びる。再充てんユニットが泡ディスペンサーシステムにマウントされると空気入口は圧縮空気源と係合され、再充てんユニットがディスペンサーシステムからマウントを解かれると圧縮空気源から係合を解かれる。
【０００６】
加えて、再充てんユニットをアンダーカウンター泡ディスペンサーシステムに導入する方法がここに開示される。実施例の方法は、空気入口がマニホールドのトップに位置するマニホールドを含む再充てんユニットを得ることが含まれる。その方法は再充てんユニットを空気入口が圧縮空気源と揃えられるように再充てんユニットを揃えて、それから再充てんユニットを上方へ動かして空気入口を圧縮空気源に係合する。
【０００７】
泡ディスペンサーシステムもここで開示される。実施例の泡ディスペンサーシステムはカウンタートップ上方に位置するスパウトと空気出口を有する空気コンプレッサーを含む。システムは、泡生成可能な液体を保持する容器、液体出口チューブ及び空気出口を係合から取り外し可能とするためのマニホールドを有する再充てんユニットも含む。システムは容器からポンプして液体出口チューブまで通される液体及びカウンタートップ下に配置される液体ポンプも含む。いくつかの実施形態では、空気コンプレッサーはカウンタートップ上方に配置され、いくつかの実施形態では、空気コンプレッサーはカウンタートップ下方に配置される。いくつかの実施形態では、同様に、マニホールドはカウンタートップ上方に配置され、いくつかの実施形態では、マニホールドはカウンタートップ下方に配置される。
【０００８】
他の再充てんユニットをアンダーカウンター泡ディスペンサーシステムに導入する例示の方法は、マニホールドのサイドに空気入口を有するマニホールドを含む再充てんユニットを得て、再充てんユニットを位置に移動させて、それからマニホールドサイドの空気源と接続することを含む。
【図面の簡単な説明】
【０００９】
これら及び他の本発明の特徴と利点は、以下の記述と添付図面についてよりよく理解されるであろう、すなわち：
【００１０】
図１は、再充てんユニット１４０が導入されているアンダーカウンター据付泡ディスペンサーシステム１００の実施例の断面図である。
【００１１】
図２は、再充てんユニット１４０が導入されていないアンダーカウンター据付泡ディスペンサーシステム１００の実施例の断面図である。
【００１２】
図３は、アンダーカウンター据付泡ディスペンサーシステム１００に用いられる再充てんユニット１４０の実施例の断面図である。
【００１３】
図４は、液体ポンプ機構１３０と共に再充てんユニット１４０が導入されて、再充てんユニット１４０が取り外しのために回転されているアンダーカウンター据付泡ディスペンサーシステム１００の実施例の断面図である。
【００１４】
図５は、アンダーカウンター据付泡ディスペンサーシステム１００に用いられる空気接続マニホールド５００の実施例の断面図である。
【００１５】
図６は、アンダーカウンター据付泡ディスペンサーシステム１００に用いられる空気接続マニホールド６００の実施例の断面図である。
【００１６】
図７は、アンダーカウンター据付泡ディスペンサーシステム１００に用いられる空気接続マニホールド７００の他の実施例の断面図である。
【００１７】
図８は、アンダーカウンター据付泡ディスペンサーシステム１００に用いられる空気接続マニホールド８００の他の実施例の断面図である。
【００１８】
図９も、アンダーカウンター据付泡ディスペンサーシステム１００に用いられる空気接続マニホールド９００の他の実施例の断面図である。
【００１９】
図１０及び１１は、空気コンプレッサー１０２０をアンダーカウンター泡ディスペンサーシステムの再充てんユニットの空気マニホールド１０２６に接続する他の実施例の追加の断面図であり；
【００２０】
図１２は、再充てんユニット１２４０が導入されているアンダーカウンター据付泡ディスペンサーシステム１２００の実施例の断面図である。
【発明を実施するための形態】
【００２１】
泡ディスペンサーシステム１００の実施形態が図１−４について最もよく記述されている。図１は、再充てんユニット１４０が導入されているアンダーカウンター据付泡ディスペンサーシステム１００の実施例の断面図である。図２は、再充てんユニット１４０が取り外されたアンダーカウンター据付泡ディスペンサーシステム１００の実施例の断面図である。泡ディスペンサーシステム１００はスパウト１０６を含む。スパウト１０６は内孔壁１０７を有する。スパウト１０６はカウンター１０４にどのような方法で固定されてもよく、例えば、ねじ結合（図示しない）であってスパウト１０６からカウンター下方まで伸びたり、ねじコネクターが下ブラケット１１０に接続されているものでもよい。空気ポンプ又は空気コンプレッサー１２０は下ブラケット１１０にマウント部材によって固定されているが、ここでは図示を省略している。空気コンプレッサー１２０は常設的にカウンタートップ１０４下にマウントされており、再充てんユニット１４０と共に外されるのではない。空気コンプレッサー１２０はアクチュエーター１２１を含む（図２）。アクチュエーター１２１は電子アクチュエーターである。アクチュエーター１２１は、直流モーター及びギア（図示しない）を含み、好ましくは一又は複数のバッテリーで給電されるが、他の手段によって給電されてもよく、オプションとして、交流モーターとギアであってもよい。オプションとして、アクチュエーター１２１は、マニュアル操作のアクチュエーターでもよい。
【００２２】
空気コンプレッサー１２０は、空気チューブ１２２を含む。空気チューブ１２２は、下ブラケット１１０の内側内壁にある空気チューブ出口１２４で終端となる。空気チューブ１２２の空気チューブ出口１２４は下方のポジションを指している。空気チューブ１２２の空気チューブ出口１２４は、再充てんユニット１４０が泡ディスペンサーシステム１００に導入されるとマニホールド１２６と一緒になり、これは以下に詳細に記述され、追加のマニホールドの実施形態として図６−１１に記載される。
【００２３】
加えて、下ブラケット１１０は液体ポンプ１２８に固定されている。液体ポンプ１２８はぜん動ポンプであり、複数のローラー１３２を含む。ローラー１３２はモーターによって回転される（図示しない）。一実施形態では、シングルモーターが液体ポンプ１２８及び空気コンプレッサー１２１をドライブする。液体ポンプ１２８の匡体は、下ブラケット１１０にヒンジ１３１によって固定されている。液体ポンプ１２８は再充てんユニットをアンダーカウンター泡ディスペンサーシステム１００から挿入、取り外するのに邪魔にならないように廻し（例えば、図４参照）、泡ディスペンサーシステム１００の操作の正位置に廻して元に戻す（例えば、図５参照）。ローラー１３２をドライブするモーターは空気コンプレッサー１２０と同じ電源から給電されてもよく、例えば、バッテリー、１２０−ＶＡＣ電源又はその類である。
【００２４】
加えて、図にはぜん動ポンプが図示されて明細書に記述されているが、どのようなタイプの液体ポンプであってもよく、例えば、ピストンポンプ、ドームポンプ、ロータリーポンプ、ダイアフラム（Ｄｉａｐｈｒａｇｍ、以下同じ）ポンプ又はその類である。本発明の実施形態の態様は、再充てんユニット１４０が交換されるとき液体が接触するすべての部品が廃棄されるものである。液体が接触しない部品、例えば、空気コンプレッサー１２０、空気チューブ１２２及び下ブラケット１１０は再充てんユニット１４０が交換されたときにそのまま固定された位置のまま残ってよい。
【００２５】
下ブラケット１１０はカラー（継ぎ輪：Ｃｏｌｌａｒ、以下同じ）１３７を含む。カラー１３７は容器１４２のトップ部を受ける構成となる。カラー１３７は、突起又は形を以下のようになし、再充てんユニット１４０が泡ディスペンサーシステム１００に導入されるときに再充てんユニットと下ブラケット１１０とが適切な向きに合致して、それが容器１４２と選択された向きに咬み合うようになっている。加えて、下ブラケット１１０は回転可能な取り外しリング１３６を含む。回転可能な取り外しリング１３６は一又は複数のタブ（出っ張り：ｔａｂ、以下同じ）３０８と係合している（図３）。回転可能な取り外しリング１３６は例えば、ばね等の片寄せ部材（図示しない）を含んでもよく、回転可能な取り外しリング１３６を再充てんユニットが保持される正位置に片寄する。加えて、一実施形態では、回転可能な取り外しリング１３６はカム表面（図示しない）を有して再充てんユニット１４０が泡ディスペンサーシステム１００に挿入されるとき、回転可能な取り外しリング１３６は自動的に回転し、再充てんユニット１４０が正位置に動くのを可能とする。再充てんユニット１４０のタブ１３８が正位置に動いた後に、片寄せ部材が回転可能な取り外しリング１３６を正位置に動かし再充てんユニット１４０を固定する。これは、例えば、対になっているタブを回転可能な取り外しリング１３６に設けてもよい。
【００２６】
図３は再充てんユニット１４０の実施例を図示する。再充てんユニット１４０は容器１４２を含むがそれは泡生成可能な液体の供給のために再充てんユニット１４０内にある液体リザーバを形成している。様々な実施形態で、含まれる液体は、例えば、石鹸、衛生剤、クレンザー、抗菌剤又は他の泡生成可能な液体である。実施例の再充てんユニット１４０では、容器１４２は強固な匡体部材であるが、どのタイプの容器でもよく、泡生成可能な液体が漏れずに含む好適な構成であればよい。他の実施形態では、容器１４２は折り畳み可能な容器で形成されてもよく、薄いプラスチックやフレキシブルなバッグのような容器であってもよい。
【００２７】
容器１４２に固定されているのはキャップ３１０である。キャップ３１０は先に記述されていた複数のタブ（ｔａｂ（ｓ）以下同じ）３０８を含み、これで再充てんユニット１４０を泡ディスペンサーシステム１００に固定している。加えて、ブラケット３１４はキャップ３１０に固定されている。ブラケット３１４は、カーブのついた裏あてプレート３１６を含む。ブラケット３１４とカーブのついた裏あてプレート３１６は液体チューブ１４６を正位置に保持する。カーブのついた裏あてプレート３１６は、ローラが移動する外径よりも若干大きな径でカーブしている。再充てんユニット１４０がディスペンサーシステム１００に導入されて、ローラ１３２が時計と反対回りに回転して液体チューブ１４６をカーブのついた裏あてプレート３１６に対向して液体を液体チューブ１４６の方に泡生成チャンバー１５２へ押し上げる。泡生成チャンバー１５２は液体と空気が一緒にされて、例えば、スクリーン等の泡形成媒体に押し通される。泡生成チャンバー１５２の実施例が、ＵＳ特許７８１９２８９「泡石鹸ジェネレータ」に図示され記述されているが、これはここに参照して取り込まれる。一実施形態では、ローラー１３２は短い間ディスペンスサイクルの最後で時計方向に回転し、引き戻し又はサックバック（ｓａｃｋ  ｂａｃｋ）して残余の液体及び／又は泡が垂れるのを防止する。
【００２８】
加えて、再充てんユニット１４０はクイック接続空気マニホールド１２６を含む。液体チューブ１４６はマニホールド１２６の壁３３０を通じて延長している。液体チューブ１４６の下部は壁３３０にシールされて漏れを防止している。また、マニホールド１２６には空気導管１５０が固定されている。空気導管１５０は液体チューブ１４６同軸に位置されている。空気導管１５０は泡生成チャンバー１５２近傍で終端している。空気流路は空気導管１５０の内側と液体チューブ１４９の外側の間に形成されている。加えて、クイック接続空気マニホールド１２６は空気入口アパーチャ３２５を含む。空気入口アパーチャ３２５は取り外し可能に空気チューブ出口１２４と接続している。空気チューブ出口１２４は好ましくは端部にテ―パーがついており、再充てんユニット１４０が上方に動くときには、空気チューブ出口１２４は空気入口アパーチャ３２５と係合する。一実施形態では、空気チューブ出口１２４は空気入口アパーチャ３２５内まで伸長している。図５から１１は、アンダーカウンター据付泡ディスペンサーシステムに用いられる沢山のクイック接続空気マニホールドを描いている。
【００２９】
図５は、泡ディスペンサーシステムに導入されている実施例のクイック接続マニホールド５２６に用いられるマニホールド接続５００へ至るエアチューブの拡大断面図である。マニホールド５２６はマニホールド１２６に似ている。下ブラケット５０３は下ブラケット１１０に類似し、スパウト（図示しない）に固定されて再充てんユニットの支持を提供している。マニホールド５２６は複数の同軸のディスペンスチューブ５５０を含むが、これらは空気流路５０２を形成し液体チューブ５４７は同軸に配置されている。この実施形態では、再充てんユニットが導入されているので、同軸チューブ５５０はスパウト（図示しない）の内壁に昇り上がるように挿入されている。マニホールド５２６も含めて、再充てんユニットは正位置まで上方に動かされ、エアチューブ端５２４はアパーチャ５２５をパススルーし、シール部材５１０がエアチューブ端５２４とマニホールド５２６の間に形成している。再充てんユニットは、例えば、上述したように回転可能な係合リング（図示しない）によって、正位置に固定されてもよい。
【００３０】
図６は、泡ディスペンサーシステムに導入されているクイック接続マニホールド６２６に用いられるマニホールド接続６００に至るエアチューブの他の実施形態の拡大断面図である。マニホールド６２６はマニホールド５２６に類似している。下ブラケット６０３は下ブラケット５０３に類似してスパウト（図示しない）に固定されて再充てんユニットの支持を提供している。マニホールド６２６は同軸のディスペンスチューブ６５０を含むが、これらは空気流路６０２によって形成されて液体チューブ６４７が同軸に配置される。加えて、シール部材６１０がアパーチャ６２５のまわりに配置されている。シール部材６１０は弾性部材であってもよい。この実施形態では、マニホールド６２６は正位置に上方に動かされて、エアチューブ端６２４はシール部材６２６のまわりに接触しフィットするが、この部材はアパーチャ６２５に固定されているのである。この接続はエアチューブ端６２４とマニホールド６２６の間でシールを形成する。
【００３１】
図７は、泡ディスペンサーシステムに導入されているクイック接続マニホールド７２６に用いられるマニホールド接続７００に至るエアチューブの他の実施形態の拡大断面図である。マニホールド７２６はマニホールド６２６に似ている。下ブラケット７０３は下ブラケット６０３に類似し、スパウト（図示しない）に固定されて再充てんユニットの支持を提供している。マニホールド７２６は同軸のディスペンスチューブ７５０を含むが、これらは空気流路７０２によって形成されて液体チューブ７４７が同軸に配置される。エアチューブ端７２４は好ましくは丸められているのがよい。シール部材７１０がアパーチャ７２５のまわりに配置されている。シール部材６１０は弾性部材であってもよい。この実施形態では、マニホールド７２６は正位置に上方に動かされて、エアチューブ端７２４はシール部材７２６のまわりに接触するが、この部材はアパーチャ７２５に固定されている。この接続はエアチューブ端７２４とマニホールド７２６の間でシールを形成する。
【００３２】
図８は、泡ディスペンサーシステムに導入されているクイック接続マニホールド８２６に用いられるマニホールド接続８００に至るエアチューブの他の実施形態の拡大断面図である。マニホールド８２６はマニホールド５２６に似ている。下ブラケット８０３は下ブラケット５０３に類似し、スパウト（図示しない）に固定されて再充てんユニットの支持を提供している。マニホールド８２６は同軸のディスペンスチューブ８５０を含むが、これらは空気流路８０２によって形成されて液体チューブ８４７が同軸に配置されてスパウト内にフィットしている。マニホールド８２６はＯリング８１０を保持する円環ノッチ８０９を含む。この実施形態では、マニホールド８２６は正位置に上方に動かされて、エアチューブ端はアパーチャ８２５まで入りシール部材８１０に接触する。この接続はエアチューブ端８２４とマニホールド８２６の間でシールを形成する。
【００３３】
加えて、マニホールド８２６は衛生シール部材８５２を含む。衛生シール部材８５２は、一方向バルブであって空気が液体チューブ８４７と空気流路８０２の間に位置される空気通路へと空気が流入するのを可能としている。衛生シール部材８５２は液体又は泡が空気通路を下ってマニホールド８２６に移動するのを防止している。上記のどの実施形態も、衛生シールを含んでよい。
【００３４】
図９は、泡ディスペンサーシステムに導入されているクイック接続マニホールド９２６に用いられるマニホールド接続９００に至るエアチューブ他の実施形態の拡大断面図である。マニホールド９２６はマニホールド５２６に似ている。下ブラケット９０３は下ブラケット５０３に類似し、スパウト（図示しない）に固定されて再充てんユニットの支持を提供している。マニホールド９２６は同軸のディスペンスチューブ９５０を含むが、これらは空気流路９０２によって形成されて液体チューブ９４７が同軸に配置されてスパウト内に挿入されている。空気チューブ出口９２４端部にはテ―パーがついている。シール部材９１０がアパーチャ９２５のまわりに上方に突出して、これは弾性部材であってもよい。この実施形態では、マニホールド９２６は正位置に上方に動かされて、エアチューブ端９２４はシール部材９１０に接触する。この接続はエアチューブ端９２４とマニホールド９２６の間でシールを形成する。
【００３５】
図１０及び１１も泡ディスペンサーシステムに導入されているクイック接続マニホールド１０２６に用いられるマニホールド接続１０００に至るエアチューブ他の実施形態の拡大断面図である。マニホールド１０２６は再充てんユニットに固定されている。下ブラケット１０１０は下ブラケット１１０に類似し、スパウト（図示しない）に固定されて再充てんユニットの支持を提供している。マニホールド１０２６は同軸のディスペンスチューブ１０５０を含むが、これらは空気流路によって形成されて液体チューブが同軸に配置されている。この実施形態では、空気マニホールド１０２６は側壁に位置されるアパーチャ１００３を含む。シール部材１１０４はアパーチャ１００３のまわりに配置されて弾性材であってもよい。この実施形態では、再充てんユニットはラッチ（止め金：ｌａｔｃｈ、以下同じ）１０３３をアンラッチ（止め金を外す：ｕｎｌａｔｃｈ）して、ポンプ機構１０３０とローラー１０３２を外側にヒンジ１０３１支点に廻して取り外される。回転可能な取り外しリング（図示しない）が回されて、再充てんユニットは下方に取り外される。新しい再充てんユニットを導入するには、同軸のチューブが開口から挿入されて再充てんユニットは上方に押される。回転可能な取り外しリングはタブ（図示しない）が対になっているタブ（図示しない）から開放されるまで、邪魔にならないように廻し、回転可能な取り外しリングは元に廻し戻して再充てんユニットを正位置に保持する。ユーザーは、ポンプ機構１０３０を戻し、それはラッチ１０３３によって正位置にシールされる。空気チューブ端１１０２はマニホールド１０２６に嵌めこまれ接続はシール部材１１０４によってシールされる。このように、新しい再充てんユニットが導入されて泡ディスペンサーシステムは運転準備完了である。
【００３６】
いくかの実施形態では膜（図示しない）が出荷前に空気入口からマニホールドを覆って配置される。膜は泡ディスペンサーシステムの導入前に空気マニホールドから汚染物質が侵入するのを防止する。一実施形態では、膜は空気チューブ端部で穴あけ可能である。一実施形態では、膜は泡ディスペンサーシステムの導入時に取り除かれる。他の実施形態でも、圧縮空気源からの空気圧力が膜を破る。
【００３７】
図１２は、そこに再充てんユニット１２４０が導入されている泡ディスペンサーシステム１２００の一実施例の断面図である。ディスペンサーは図２のディスペンサーと類似であって、図２は再充てんユニットが外された泡ディスペンサーシステムの断面図である。泡ディスペンサーシステム１２００はスパウト１２０６を含む。スパウト１２０６は内孔１２０７を有する。スパウトはカウンター１２０４にどのような手段によって固定されてよく、例えば、スパウト１２０６からカウンター下方に伸びるねじ接合（図示しない）であったり、下ブラケット１２１０に接続しているねじ接合子であってもよい。空気ポンプ又は空気コンプレッサー１２２０はスパウト１２０６内に位置している。空気コンプレッサー１２２０は常設的にカウンタートップ１２０４上のスパウトにマウントされて再充てんユニット１２４０と共には外されない。空気コンプレッサー１２２０は、図２に図示されているアクチュエーター１２１に類似の電子アクチュエーターを含む。オプションとして、アクチュエーター１２２１はマニュアル操作のアクチュエーターであってもよい。
【００３８】
空気コンプレッサー１２２０はエアチューブ１２２２を含む、エアチューブは、下ブラケット１２１０の内壁のエアチューブ出口１２２４を終端とする。エアチューブ１２２２のエアチューブ出口１２２４は下方の位置を指している。エアチューブ１２２２のエアチューブ出口１２２４は、再充てんユニット１２４０が泡ディスペンサーシステム１２００に導入されるとき、マニホールド１２２６と咬み合う。このような咬み合い接続は上述にも図１及び図６−１１にも詳細に記述されている。
【００３９】
加えて、下ブラケット１２１０には液体ポンプ１２２８が固定されている。液体ポンプ１２２８はぜん動ポンプであり、複数のローラー１２３２を含む。ローラー１２３２はモーター（図示しない）によって回転される。一実施形態では、一つのモーターが液体ポンプ１２２８と空気コンプレッサー１２２１をドライブする。液体ポンプ１２２８の匡体は下ブラケット１２２８にヒンジによって固定されている。液体ポンプ１２２８は再充てんユニットをアンダーカウンター泡ディスペンサーシステム１２００から挿入、取り外するのに邪魔にならないように廻し（例えば、図４参照）、泡ディスペンサーシステム１２００の操作の正位置に廻して元に戻す（例えば、図５参照）。ローラー１２３２をドライブするモーターは空気コンプレッサーと同じ電源から電源供給されても、例えば、バッテリー、１２０−ＶＡＣ又はその類の電源から給電されてよい。
【００４０】
加えて、ぜん動ポンプが図示されてはいるが、明細書に記述されているように、どのようなタイプの液体ポンプが使用されてもよく、例えば、ピストンポンプ、ドームポンプ、ロータリーポンプ、ダイアフラムポンプやその類であってもよい。本発明の実施形態の態様は、再充てんユニット１２４０が交換されるとき液体が接触するすべての部品が廃棄されるものである。液体が接触しない部品、例えば、空気コンプレッサー１２２０、空気チューブ１２２２及び下ブラケット１２１０は再充てんユニット１２４０が交換されたときにそのまま固定された位置のまま残ってよい。
【００４１】
下ブラケット１２１０はカラー１２３７を含む。カラー１２３７は容器１２４２のトップ部を受ける構成となる。カラー１２３７は、突起又は形を以下のようになし、再充てんユニット１２４０が泡ディスペンサーシステム１２００に導入されるときに再充てんユニット１２４０と下ブラケット１２１０とが適切な向きに合致して、それが容器１２４２と選択された向きに咬み合うようになっている。加えて、下ブラケット１２１０は回転可能な取り外しリング１２３６を含む。回転可能な取り外しリング１２３６は、一又は複数のタブ（ｔａｂ）３０８と係合している（図３）。回転可能な取り外しリング１２３６は、例えば、ばね等の片寄せ部材（図示しない）を含んでもよく、回転可能な取り外しリング１２３６を再充てんユニット１２４０が保持される正位置に片寄する。加えて、一実施形態では、回転可能な取り外しリング１２３６はカム表面（図示しない）を有して再充てんユニット１２４０が泡ディスペンサーシステム１２００に挿入されるとき、回転可能な取り外しリング１２３６は自動的に回転し、再充てんユニット１４０が正位置に動くのを可能とする。再充てんユニット１２４０のタブ３０８が正位置に動いた後に、片寄せ部材が回転可能な取り外しリング１２３６を正位置に動かして再充てんユニット１２４０を固定する。これは、例えば、咬み合いタブ（図示しない）を回転可能な取り外しリング１２３６に設けてもよい。
【００４２】
本発明が、ここに記載された実施形態に描かれ、実施形態は、かなり詳細に記載されているが、出願人は、添付する特許請求の範囲をいかようにも制限、限定する意図はない。追加の利点や修正は、当業者に理解される。其の上、一つの実施形態に記載された要素は、他の実施形態にも採用可能である。したがって、発明は、広い面で、特定の詳細事項に限定されず、各々の機器及び／又は実施例が示され、記載されている。したがって、出願人の一般的発明概念の精神とスコープから乖離しないで、これらの詳細から離れることもあり得る。加えて、様々な態様の実施例が互いに係合されて、互いに組み合わされるように表現上描かれていないものも本発明の実施形態を形成する。
【図１】
2015535194.tif 000003
【図２】
2015535194.tif 000004
【図３】
2015535194.tif 000005
【図４】
2015535194.tif 000006
【図５】
2015535194.tif 000007
【図６】
2015535194.tif 000008
【図７】
2015535194.tif 000009
【図８】
2015535194.tif 000010
【図９】
2015535194.tif 000011
【図１０】
2015535194.tif 000012
【図１１】
2015535194.tif 000013
【図１２】
2015535194.tif 000014
【国際調査報告】
2015535194.tif 000015
2015535194.tif 000016